(57)【要約】【課題】ヒンジ部を中心としたリッド部の安定した開口挙動を得ることのできるエアバッグ装置のバッグカバーを提供する。【解決手段】リッド領域４２と側壁３８を連結するカバーアウタ３５の曲げ基線部４４に不連続に溝６０を形成し、不連続部を肉厚部６１とする。袋体の展開時に、袋体から曲げ基線部４４に大きな荷重が作用した場合には、その荷重を破断剛性の高い肉厚部６１によって受け止める。これにより、リッド領域４２は常に曲げ基線部４４を中心として回動することになる。【選択図】図７
2011001013.tif 000002
【特許請求の範囲】
【請求項１】
折り畳まれた袋体の車室内側を覆うとともに、前記袋体がインフレータからのガス圧導入によって展開するときに、袋体の展開を許容するための開口が形成されるエアバッグ装置のバッグカバーであって、
前記袋体の収納状態において前記開口を閉塞するリッド部と、
車体側に固定されるリテーナに結合される支持部と、
前記リッド部と支持部を連結するとともに、前記袋体の展開時に曲げ変形によって前記リッド部の回動を許容することでリッド部側に開口を形成するヒンジ部と、を備え、
前記ヒンジ部は、長手方向の一部に破断強度の高い肉厚部が設けられていることを特徴とするエアバッグ装置のバッグカバー。
【請求項２】
前記リッド部と支持部とヒンジ部を夫々備えたアウタ部材とインナ部材が相互に接合されて成り、
前記アウタ部材のヒンジ部は、長手方向の一部に破断強度の高い肉厚部が設けられ、
前記インナ部材のヒンジ部は、前記袋体の展開初期のリッド部の変形開始タイミングを制御するために、長手方向の一部の領域に他の領域に比較して曲げ変形が容易な変形容易部が設けられていることを特徴とする請求項１に記載のエアバッグ装置のバッグカバー。
【請求項３】
前記アウタ部材側のヒンジ部の肉厚部は、前記インナ部材側のヒンジ部の変形容易部と長手方向でオーバーラップするように形成されていることを特徴とする請求項２に記載のエアバッグ装置のバッグカバー。
【発明の詳細な説明】
【技術分野】
【０００１】
この発明は、衝撃の入力時にガス圧によって袋体を展開させるエアバッグ装置のバッグカバーに関するものである。
【背景技術】
【０００２】
車両用エアバッグ装置として、衝撃入力時にガス圧によって展開する袋体が長尺に折り畳まれ、その袋体が、袋体の車内側の外側域を覆うバッグカバーとともに車体側に取り付けられたものが知られている（例えば、特許文献１参照）。
【０００３】
特許文献１に記載のエアバッグ装置は、車両のサイドドアの車室内側面に配置されるエアバッグ装置であり、折り畳まれた袋体は上方に開口するリテーナを介してドア本体に取り付けられ、バッグカバーはリテーナの開口の上方を覆うようしてリテーナとともにドア本体に取り付けられている。
バッグカバーには、肉薄の破断誘導部によって囲まれたリッド部が設けられ、袋体の展開時に破断誘導部が破断することによってリッド部がヒンジ部を回動支点として跳ね上がり、袋体の展開用の開口が形成されるようになっている。
【先行技術文献】
【特許文献】
【０００４】
【特許文献１】特開２００８−２１３６２１号公報
【発明の概要】
【発明が解決しようとする課題】
【０００５】
ところで、この種のエアバッグ装置においては、袋体の展開時にリッド部がヒンジ部を中心として安定的に開くようにリッド部の付根部側にガイド溝等の曲げ誘導部が設けられている。
しかし、リッド部の付根部側に曲げ誘導部が形成されると、リッド部の付根部側の破断強度が低下するため、袋体の展開の仕方によってリッド部の付根部側に応力が集中したときに、リッド部の開口挙動が不安定になることが懸念される。
【０００６】
そこでこの発明は、ヒンジ部を中心としたリッド部の安定した開口挙動を得ることのできるエアバッグ装置のバッグカバーを提供しようとするものである。
【課題を解決するための手段】
【０００７】
上記の課題を解決する請求項１に記載の発明は、折り畳まれた袋体（例えば、後述の実施形態における袋体１９）の車室内側を覆うとともに、前記袋体がインフレータ（例えば、後述の実施形態におけるインフレータ１８）からのガス圧導入によって展開するときに、袋体の展開を許容するための開口（例えば、後述の実施形態における開口４０）が形成されるエアバッグ装置のバッグカバー（例えば、後述の実施形態におけるバッグカバー２１）であって、前記袋体の収納状態において前記開口を閉塞するリッド部（例えば、後述の実施形態におけるリッド領域４２、リッド壁４８）と、車体側に固定されるリテーナ（例えば、後述の実施形態におけるリテーナ２０）に結合される支持部（例えば、後述の実施形態における側壁３８，４６）と、前記リッド部と支持部を連結するとともに、前記袋体の展開時に曲げ変形によって前記リッド部の回動を許容することでリッド部側に開口を形成するヒンジ部（例えば、後述の実施形態における曲げ基線部４４、帯状片５３）と、を備え、前記ヒンジ部は、長手方向の一部に破断強度の高い肉厚部（例えば、後述の実施形態における肉厚部６１）が設けられていることを特徴とする。
これにより、袋体の展開時に、袋体からヒンジ部に大きな荷重が作用した場合であっても、ヒンジ部は長手方向の一部に破断強度の高い肉厚部が設けられているため、ヒンジ部の破断は回避されるようになる。
【０００８】
請求項２に記載の発明は、請求項１に記載のエアバッグ装置のバッグカバーにおいて、前記リッド部と支持部とヒンジ部を夫々備えたアウタ部材（例えば、後述の実施形態におけるカバーアウタ３５）とインナ部材（例えば、後述の実施形態におけるカバーインナ３６）が相互に接合されて成り、前記アウタ部材のヒンジ部（例えば、後述の実施形態における曲げ基線部４４）は、長手方向の一部に破断強度の高い肉厚部（例えば、後述の実施形態における肉厚部６１）が設けられ、前記インナ部材のヒンジ部（例えば、後述の実施形態における帯状片５３）は、前記袋体の展開初期のリッド部の変形開始タイミングを制御するために、長手方向の一部の領域に他の領域に比較して曲げ変形が容易な変形容易部（例えば、後述の実施形態における薄肉部７０）が設けられていることを特徴とする。
バッグカバー全体としてのヒンジ部の剛性は、アウタ部材側のヒンジ部とインナ部材側のヒンジ部の剛性を合成したものとなる。このため、バッグカバーのヒンジ部上の剛性分布は、アウタ部材側とインナ部材側の肉厚部と変形容易部の配置によって調整されることになる。
【０００９】
請求項３に記載の発明は、請求項２に記載のエアバッグ装置のバッグカバーにおいて、前記アウタ部材側のヒンジ部の肉厚部は、前記インナ部材側のヒンジ部の変形容易部と長手方向でオーバーラップするように形成されていることを特徴とする。
これにより、アウタ部材側の肉厚部で剛性が増しても、同じ部分にオーバーラップしてインナ部材側の変形容易部が配置されているため、ヒンジ部の部分的な剛性の増加が抑制される。
【発明の効果】
【００１０】
請求項１に記載の発明によれば、袋体からヒンジ部に大きな荷重が作用した場合であっても破断強度の高い肉厚部によってヒンジ部の破断を回避することができるため、ヒンジ部を中心としたリッド部の安定した開口挙動を常に得ることのできる。
【００１１】
請求項２に記載の発明によれば、バッグカバー全体としてのヒンジ部の剛性分布をアウタ部材側の肉厚部とインナ部材側の変形容易部の配置によって適切に調整することができるうえ、インナ部材側の変形容易部によって袋体の展開初期におけるリッド部の変形開始タイミングを適切に制御することができる。したがって、これらにより袋体の展開挙動を安定させることができる。
【００１２】
請求項３に記載の発明によれば、アウタ部材側の肉厚部と、インナ部材側の変形容易部がオーバーラップすることから、ヒンジ部の剛性の局部的な増加を抑制して、リッド部のヒンジ部を中心とした開口作動をスムーズにすることができる。
【図面の簡単な説明】
【００１３】
【図１】この発明の第１の実施形態のエアバッグ装置を採用した車両用ドアの車室内側から見た正面図である。
【図２】この発明の第１の実施形態のエアバッグ装置の取付状態を示す車両用ドアの車室内側から見た正面図である。
【図３】この発明の第１の実施形態を示す図１のＡ−Ａ断面に対応する断面図である。
【図４】この発明の第１の実施形態のエアバッグ装置の分解斜視図である。
【図５】この発明の第１の実施形態のエアバッグ装置の背面図である。
【図６】この発明の第１の実施形態のバッグカバーを車外側斜め下方から見た斜視図である。
【図７】この発明の第１の実施形態のカバーアウタを下方から見た図である。
【図８】この発明の第１の実施形態のカバーアウタの図７のＦ−Ｆ断面に対応する断面図である。
【図９】この発明の第１の実施形態のカバーアウタの図７のＥ−Ｅ断面に対応する断面図である。
【図１０】この発明の第１の実施形態のバッグカバーの図６のＢ−Ｂ断面に対応する断面図である。
【図１１】この発明の第１の実施形態のバッグカバーの図６のＣ−Ｃ断面に対応する断面図である。
【図１２】この発明の第１の実施形態のバッグカバーのリッド部の挙動を示す斜視図である。
【発明を実施するための形態】
【００１４】
以下、この発明の各実施形態を図面に基づいて説明する。なお、図面において、車両の上側と前側はそれぞれ矢印ＵＰとＦＲで示すものとする。また、各実施形態においては、同一部分に同一符号を付し、重複する説明を省略するものとする。
【００１５】
図１は、車両の進行方向右側のフロントサイドドア１を車室内側から見た図であり、図２は、図１のフロントサイドドア１からドアライニング２等の一部の部材を取り去った図、図３は、図１のＡ−Ａ断面に対応する断面図である。
フロントサイドドア１は、窓枠部を持たないいわゆるサッシュレスタイプのドアであり、ドア本体３にはドアガラス４が昇降自在に保持されている。ドア本体３は、ドア骨格部５と、ドア骨格部５の車外側に取り付けられるドアスキン６（図３参照）等によって構成されている。
【００１６】
図２に示すように、ドア本体３の前部上端側には図示しないドアミラーを取り付けるためのミラーベース８が一体に設けられ、ドア本体３の車室内側の上縁部には、モジュール化されたエアバッグ装置９（以下「エアバッグモジュール９」と呼ぶ。）を取り付けるための取付ブラケット１０が設けられている。
【００１７】
取付ブラケット１０は、図２に示すように、ドア本体３の上端部に沿うように車体前後方向に延出する平板状のベースプレート部１１を備え、ベースプレート部１１の上縁部には、エアバッグ締結片１２Ａと、３つのエアバッグ係止爪１３Ａ，１３Ｂ，１３Ｃが上方に向かって延設されている。エアバッグ締結片１２Ａはベースプレート部１１の車体前部寄り位置に配設され、エアバッグ係止爪１３Ａ，１３Ｂ，１３Ｃはベースプレート部１１の車体中央領域にほぼ等間隔に配設されている。また、ベースプレート部１１の車体前部寄りの下縁部にはエアバッグ締結片１２Ｂ，１２Ｃが延設されている。
【００１８】
また、取付ブラケット１０は、図３に示すように、ドア骨格部５の上部に接した状態でドア本体３に固定されており、エアバッグ係止爪１３Ａ，１３Ｂ，１３Ｃは、その状態においてドア骨格部５から離間して上方に突出している。また、ドア骨格部５の上縁に形成されたフランジ部１５ａには、ドアガラス４の車内側面に摺動自在に密接する車内側のウェザーストリップ１６が取り付けられている。なお、図３中１７は、ドアスキン６の上端部に取り付けられてドアガラス４の車外側面に摺動自在に密接する車外側のウェザーストリップである。
【００１９】
図４は、エアバッグモジュール９を分解した状態を示す斜視図であり、図５は、エアバッグモジュール９の背面図である。
これらの図にも示すように、エアバッグモジュール９は、図示しないセンサによって衝撃が検知されたときに高圧ガスを発生する筒状のインフレータ１８と、インフレータ１８で発生したガス圧を受けて展開する折り畳まれた袋体１９（図２，図３参照）と、インフレータ１８と袋体１９を保持する金属製のリテーナ２０と、折り畳まれた袋体１９の車室内側の外側域を覆い、袋体１９の展開時に一部が開口することによって袋体１９の展開を許容するバッグカバー２１と、を備えている。
【００２０】
インフレータ１８には、外周面に複数のガス導出口（図示省略）が形成されたガイド筒２２（図３参照）が直列に接続され、そのガイド筒２２に袋体１９が接続されている。袋体１９は前後の縁部を折り返した状態で上下方向に畳まれ、ガイド筒２２の長手方向に沿うように長尺物状に配置されている。
【００２１】
リテーナ２０は、車体前後方向に長いほぼ平板状のベースプレート２３と、ベースプレート２３の車室内側に一体に結合されて、ガイド筒２２と袋体１９の車室内側の側方と底部側を抱持する断面略Ｌ字状の抱持プレート２４とによって構成されている。インフレータ１８とガイド筒２２はベースプレート２３の車内側面に結合され、抱持プレート２４は、図４に示すように、ベースプレート２３と結合する前にバッグカバー２１の内側部に一体に結合される。ベースプレート２３と抱持プレート２４は、インフレータ１８や袋体１９をベースプレート２３に結合した組付体（以下、「ベースプレート２３を含む組付体」と呼ぶ。）にバッグカバー２１を最終的に組み付けるときに、ボルト結合やリベット止め等によって相互に結合される。
【００２２】
インフレータ１８は、ベースプレート２３の前端部側に結合されている。具体的には、インフレータ１８には、インフレータ１８の外周面を抱持するブラケット３０が取り付けられ、そのブラケット３０に延設された下部アーム３１がベースプレート２３にボルト結合されている。また、ブラケット３０には上方側に延出する上部アーム３２が設けられ、その上部アーム３２が取付ブラケット１０のエアバッグ締結片１２Ａにボルト結合されるようになっている。なお、図中３３ａは、上部アーム３２をエアバッグ締結片１２Ａにボルト締結するためのボルト孔であり、３３ｂ，３３ｃは、ベースプレート２３の前部側下縁を取付ブラケット１０のエアバッグ締結片１２Ｂ，１２Ｃにボルト締結するためのボルト孔である。また、ベースプレート２３の後端部はボルト孔３３ｄを通して取付ブラケット１０にボルト締結されている。
【００２３】
また、抱持プレート２４の長手方向（車体前後方向）の各端部には、略Ｌ字状の基本断面部の内側領域を閉塞するように端部壁２５（図４参照）が延設され、その端部壁２５に連設された接合フランジ２５ａがベースプレート２３に対して最終的にリベット固定されるようになっている。ベースプレート２３に抱持プレート２４が結合されて構成されるリテーナ２０は袋体１９の収容部の上方が略長方形状に開口し、上方側を除く面が袋体１９の周域をほぼ取り囲んでいる。
【００２４】
また、ベースプレート２３のドア本体３側の上縁部には、波形の板部材２６が複数箇所で固定され、板部材２６の固定部間に鞘状の爪受部２７Ａ，２７Ｂ，２７Ｃが形成されている。この爪受部２７Ａ，２７Ｂ，２７Ｃは下方側に開口し、エアバッグモジュール９を取付ブラケット１０に対して上方から被せることによって対応するエアバッグ係止爪１３Ａ，１３Ｂ，１３Ｃに嵌合し得るようになっている。
【００２５】
図６は、バッグカバー２１を車外側斜め下方から見た状態を示す図である。
同図にも示すように、バッグカバー２１は、ドアライニング２（図１参照）とともにフロントサイドドア１の車室内側の外形を成すカバーアウタ３５（アウタ部材）と、カバーアウタ３５の内側面に溶着固定されてバッグカバー２１上の各部の剛性調整や他部品との連結機能を担うカバーインナ３６（インナ部材）と、を備えている。
【００２６】
カバーアウタ３５は、図３に示すように、比較的硬質な樹脂材料から成る基材３５Ａの外側に軟質樹脂から成る表皮材３５Ｂが一体に接合された２層構造とされている。また、カバーアウタ３５は、リテーナ２０の開口（袋体収容部）の上方側を覆う上壁３７にリテーナ２０の車室内側を覆う側壁３８が滑らかに連続して形成されている。側壁３８は、図１，図２に示すように、側面視で上辺が略水平な略五角形状を呈するように形成されている。なお、ベースプレート２３を含む組付体にバッグカバー２１が最終的に取り付けられた状態では、インフレータ１８とベースプレート２３の前端部分はカバーアウター３５の前方に突出する。また、上壁３７のドア本体３側の端部には下方に略Ｌ字状に屈曲する屈曲壁３９が設けられている。この屈曲壁３９は、エアバッグモジュール９がドア本体３に取り付けられた状態において、図３に示すように車室内側のウェザーストリップ１６の近傍部まで延出し、その外側面にウェザーストリップ１６の外側リップ１６ａが密接するようになっている。
【００２７】
カバーアウタ３５の上壁３７と屈曲壁３９には、図４，図６に示すように、袋体１９の展開を許容する開口４０を形成するための破断誘導部４１が設けられている。破断誘導部４１は、例えば、カバーアウタ３５の基材３５Ａの裏面に断面Ｖ字状の溝を形成することにより構成される。また、破断誘導部４１は、折り畳まれた袋体１９の前後位置に対応して設けられ、袋体１９の展開時には、カバーアウタ３５上の破断誘導部４１によって囲まれた領域が袋体１９に押圧されて蓋状に跳ね上がるようになっている。この袋体１９の展開時に蓋状に跳ね上がるカバーアウタ３５上の略長方形状の領域を以下ではリッド領域４２と呼ぶものとする。リッド領域４２の基部側の辺は、その前後の端縁を除く中央領域がリッド領域４２の回動起点となる曲げ基線部４４（ヒンジ部）とされる。この曲げ基線部４４については後に詳述する。なお、図中、リッド領域４２の上壁３７と屈曲壁３９は、それぞれ符号３７ａ，３９ａを付して他の部位と区別するものとする。
また、リッド領域４２の前後の破断誘導部４１はリッド領域４２の基部側の辺の一部まで略Ｌ字状に回り込んで設けられている。破断誘導部４１のうちのリッド領域４２の基部側の辺に回り込む領域は図４中４１ａで示す
【００２８】
カバーインナ３６は、カバーアウタ３５よりも軟質な樹脂材料から成り、図３，図６に示すように、カバーアウタ３５の上壁３７と側壁３８にそれぞれ溶着固定される上壁４５と側壁４６を備えている。上壁４５には車体前後方向に長い略長方形状の切欠き部４７（図６参照）が設けられ、その切欠き部４７内に、カバーアウタ３５のリッド領域４２に対応する略長方形状のリッド壁４８が配置されている。リッド壁４８はカバーアウタ３５のリッド領域４２の裏面に一体に溶着固定されている。また、側壁４６の下縁には複数の隆起部４９が設けられ、その各隆起部４９に係止孔５０が設けられている。各係止孔５０には、図３に示すように、リテーナ２０の抱持プレート２４に延設された係止フック５１が挿入係合されるようになっている。したがって、バッグカバー２１の側壁４６，３８はリテーナ２０に係止され、リテーナ２０を介してドア本体３側に支持される支持部とされている。なお、図３，図６に示すように、カバーアウタ３５の側壁３８の裏面にはカバーインナ３６とは別に樹脂製の締結ブロック５２が溶着固定され、抱持プレート２４はこの締結ブロック５２に対してビス止め固定されている。
【００２９】
リッド壁４８は、切欠き部４７の底部側で複数の帯状片５３…を介して側壁４６の上部に一体に連結されている。各帯状片５３は下方側に膨出するように円弧状に湾曲し、カバーアウタ３５に対して溶着されずに離間している。これらの帯状片５３…は、リッド壁４８が跳ね上げ回動するときのヒンジ部として機能する。
【００３０】
ここで、この実施形態のバッグカバー２１では、カバーアウタ３５とカバーインナ３６が一体に溶着された状態において、カバーアウタ３５側のリッド領域４２とカバーインナ３６側のリッド壁４８が袋体１９の展開時に開口４０を開くリッド部を構成し、カバーアウタ３５側の曲げ基線部４４とカバーインナ３６側の帯状片５３…がリッド部の回動支点となるヒンジ部を構成している。
【００３１】
また、図６に示すように、カバーインナ３６の切欠き部４７の前後方向の外側位置には、上壁４５と側壁４６とに跨るフランジ壁５４，５４がそれぞれ突設され、これらのフランジ壁５４がリテーナ２０の抱持プレート２４の端部壁２５，２５に対してボルト５５（図４参照）によって結合されるようになっている。
【００３２】
また、カバーインナ３６のうちのリッド壁４８の自由端寄りの下面には、破断が容易な肉薄の連結部（図示省略）を介して固定壁５６が連設されていいる。この固定壁５６の下縁には複数の連結片５７…が離間して設けられ、この各連結片５７がリテーナ２０のベースプレート２３にリベット固定されている。この連結片５７のリベット固定は、例えば、ベースプレート２３を含む組付体にバッグカバー２１を最終的に組み付けるときに、波形の板部材２６とともにベースプレート２３に固定するようにしても良い。
【００３３】
図７は、カバーアウタ３５を下方側から見た図であり、図８，図９は、それぞれ図７のＦ−Ｆ断面とＥ−Ｅ断面に対応するカバーアウタ３５の断面図である。
これらの図に示すように、カバーアウタ３５の曲げ基線部４４は、リッド領域４２の自由端側の端面（図７中では上側の端面）と略平行に設けられている。曲げ基線部４４は、基材３５Ａの裏面（表皮材３５Ｂと逆側の面）にリッド領域２２の自由端側の端面に沿うよう断面円弧状の溝６０（肉薄部）が形成されている。この溝６０は長手方向に沿って直線的に形成されているが、長手方向の全範囲に亙って連続的に形成されているのではなく、一部に不連続部、つまり肉厚の厚い肉厚部６１が設けられている。肉厚部６１は、曲げ基線部４４の長手方向の端部から離間した中央領域Ｄの複数箇所に離散して設けられている。また、溝６０の断面の曲率半径は充分に大きく設定され、破断誘導部４１に比較して応力の集中し難い構造となっている。
【００３４】
図１０，図１１は、図６のＢ−Ｂ断面とＣ−Ｃ断面に対応するカバーインナ３６の長手方向の端部領域と中央領域の断面をそれぞれ示すものである。
図６と、この図１０，図１１に示すようにカバーインナ３６の帯状片５３…は全てが同じ肉厚ではなく、長手方向の中央領域Ｄの帯状片５３…（中央側７つの帯状片５３…）の肉厚Ｔ1は、長手方向の前後の端部領域の帯状片５３…（前後各２つの帯状片５３，５３）の肉厚Ｔ2に比較して薄く設定されている。したがって、カバーインナ３６のヒンジ部の中央領域Ｄは両側の端部領域に比較して曲げ変形が容易になっている。この実施形態の場合、中央領域Ｄの帯状片５３…の薄肉部７０（図１１参照）が両側の端部領域に比較して曲げ変形が容易な変形容易部とされている。
なお、カバーアウタ３５のヒンジ部（曲げ基線部４４）上の肉厚部６１は、カバーインナ３６のヒンジ部上の薄肉の帯状片５３…の配置されている中央領域Ｄとオーバーラップする範囲にのみ形成されている。
【００３５】
以上のように構成されたエアバッグモジュール９をドア本体３に取り付ける場合には、ドア本体３の上部に取付ブラケット１０を予め取り付けておき、その状態で取付ブラケット１０のエアバッグ係止爪１３Ａ，１３Ｂ，１３Ｃにエアバッグモジュール９の爪受部２７Ａ，２７Ｂ，２７Ｃを上方から嵌合することにより、エアバッグモジュール９をドア本体３に対して仮止めする。
この後、エアバッグモジュール９をドア本体３に対して正確に位置決めし、エアバッグモジュール９のリテーナ２０（ベースプレート２３）を取付ブラケット１０に対してボルト結合する。
そして、ドア本体３の車室内側には、この後にエアバッグモジュール９のバッグカバー２１と付き合わせるようにしてドアライニング２が取り付けられる。
【００３６】
前述のようにエアバッグモジュール９がドア本体３に取り付けられると、インフレータ１８や袋体１９はリテーナ２０を介してドア本体３に固定され、袋体１９の上方側はバッグカバー２１のリッド部（リッド領域４２とリッド壁４８）によって覆われることになる。
また、このとき、バッグカバー２１の屈曲壁３９は、ドアガラス４の車室内側面に微小隙間をもって対峙し、屈曲壁３９の外側面には、ドア本体３側のウェザーストリップ１６の外側リップ１６ａが密接する。
【００３７】
車両に大きな衝撃が入力されてエアバッグモジュール９が作動する場合には、インフレータ１８から袋体１９へのガス圧の導入によって袋体１９が展開を開始し、袋体１９がリテーナ２０から上方に飛び出そうとする。このとき、袋体１９がバッグカバー２１のリッド部（リッド壁４８及びリッド領域４２）を裏面側から押圧すると、カバーインナ３６のリッド壁４８の端部が固定壁５６から破断して分離し、カバーアウタ３５が破断誘導部４１で破断してカバーインナ３６のリッド壁４８とカバーアウタ３５のリッド領域４２が一体となって車室内側に押し開かれるようになる。これにより、バッグカバー２１の上壁３７に開口４０が形成され、開口４０から車室内の上方に袋体１９が展開する。
【００３８】
ところで、カバーインナ３６のリッド壁４８が袋体１９に押圧されてカバーアウタ３５のリッド領域４２とともに押し開かれるときには、リッド壁４８は、ヒンジ部である複数の帯状片５３…を回動支点として車室内側に回動するが、帯状片５３…は全てが均一な厚みではなく、長手方向の中央領域Ｄの帯状片５３…が端部領域の帯状片５３…に比較して薄肉に形成されているため、リッド壁４８が袋体１９から押圧力を受けると、中央領域の帯状片５３…が最初に大きな曲率半径をもって曲げ変形を開始する。このため、リッド壁４８は、中央領域Ｄの帯状片５３…の曲率半径の大きい曲げ変形を契機として、長手方向中央領域の膨出変形が促進される。
【００３９】
したがって、袋体１９の展開初期には、図１２に示すようにリッド領域４２がリッド壁４８とともに中央領域から上方に膨出変形し、その中央領域を上方に押し上げるかたちで、リッド領域４２の前後の破断誘導部４１と、リッド壁４８の固定壁５６との連結部に破断応力が作用する。この結果、リッド壁４８とリッド領域４２の破断は長手方向の中央部から前後の端部側に向かって進行し、袋体１９は安定的に車室内側に展開するようになる。
【００４０】
また、袋体１９の展開時にリッド領域４２の回動支点となるカバーアウタ３５の曲げ基線部４４は、長手方向に断続的に溝６０が形成されて溝６０の不連続部に肉厚部６１が設けられているため、袋体１９からリッド領域４２の付根部側に大きな荷重が作用した場合であっても、破断強度の高い肉厚部６１によってその荷重を受け止めることができる。
【００４１】
したがって、このバッグカバー２１においては、カバーアウタ３５の曲げ基線部４４の破断を確実に防止し、リッド部（リッド領域４２及びリッド壁４８）の安定した開口挙動を常に得ることができる。
【００４２】
また、このバッグカバー２１においては、カバーインナ３６の中央領域Ｄの帯状片５３…の肉厚が端部領域の帯状片５３…の肉厚よりも薄く設定されているため、袋体１９の展開時に、前述のようにリッド壁４８とリッド領域４２を中央領域から最初に上方に膨出させ、リッド壁４８とリッド領域４２の破断を中央部から前後の端部に向かって進行させることができるとともに、カバーアウタ３５側の肉厚部６１によるヒンジ部上の剛性の局部的な増加をカバーインナ３６側の薄肉の帯状片５３…によって抑制することができる。
【００４３】
具体的には、この実施形態の場合、カバーアウタ３５の肉厚部６１がカバーインナ３６の薄肉の帯状片５３…の配置される領域Ｄとオーバーラップする範囲にのみ配置されているため、カバーアウタ３５のヒンジ部上で肉厚部６１によって剛性が局部的に高まる分を、同領域に存在するインナカバー３６の剛性の低い帯状片５３…によって相殺することができる。したがって、このバッグカバー２１においては、ヒンジ部の局部的な剛性増加を抑制し、ヒンジ部を中心としたリッド部（リッド壁４８及びリッド領域４２）の開口作動をスムーズにすることができる。
【００４４】
なお、この発明は上記の実施形態に限定されるものではなく、その要旨を逸脱しない範囲で種々の設計変更が可能である。
【符号の説明】
【００４５】
９…エアバッグモジュール（エアバッグ装置）
１８…インフレータ
１９…袋体
２０…リテーナ
２１…バッグカバー
３５…カバーアウタ（アウタ部材）
３６…カバーインナ（インナ部材）
３８，４６…側壁（支持部）
４０…開口
４２…リッド領域（リッド部）
４４…曲げ基線部（ヒンジ部）
４８…リッド壁
５３…帯状片
６１…肉厚部
７０…薄肉部（変形容易部）
【図１】
2011001013.tif 000003
【図２】
2011001013.tif 000004
【図３】
2011001013.tif 000005
【図４】
2011001013.tif 000006
【図５】
2011001013.tif 000007
【図６】
2011001013.tif 000008
【図７】
2011001013.tif 000009
【図８】
2011001013.tif 000010
【図９】
2011001013.tif 000011
【図１０】
2011001013.tif 000012
【図１１】
2011001013.tif 000013
【図１２】
2011001013.tif 000014